(57)【要約】      （修正有）【課題】実際にボールを打つことができ、被覆材の弾性合成樹脂の滑り止め効果によりシャフトの任意の位置に装着できるので、クラブバランスを自由に設定できる。【解決手段】らせん構造のウエイト１をシャフト２に巻きつけて装着することにより、ウエイトが障害物とならないため実際にボールを打ちながら練習ができるようになり、上記の問題を解決している。重りとなる鉛など可塑性金属板をらせん構造にして、その表面をゴム状の弾性合成樹脂で被覆することによりらせん構造を保持できる。弾性合成樹脂の柔軟性により、シャフトに巻き付け、巻き解きが自在にでき、強打してもウエイトが外れず安全に練習できる。【選択図】図１
0003134402.tif 000002
【実用新案登録請求の範囲】
【請求項１】
ゴルフクラブのシャフトに自在に着脱でき、装着したままボールを打つことができる、らせん構造のゴルフ練習用ウエイト
【考案の詳細な説明】
【技術分野】
【０００１】  本考案は、ゴルフクラブのシャフトに自在に着脱でき、装着したまま実際にボールを打つことができる、らせん構造のゴルフ練習用のウエイトに関するものである。
【背景技術】
【０００２】  従来のゴルフ練習用ウエイトは、ゴルフクラブのヘッド４やネック３に装着する素振り専用のもので、ウエイトが障害物となり実際にボールを打つことができなかった。
【考案の開示】
【考案が解決しようとする課題】
【０００３】  従来のゴルフ練習用ウエイトは、素振りによるウォームアップの他に筋力強化や体幹部を主体としたスイングを体感することにあるが、装着しているウエイトが地面やボールとの障害物となり素振りだけしかできない。素振りだけでは適切なスイング軌道でクラブを振っているか確認できないから、誤った軌道のスイングを体得してしまうこともある。実際にボールを打つことができるウエイトならば、ボールの軌跡を見る事でスイング軌道が適切かどうかを容易に確認でき、筋力も強化できるのでより効果的な練習ができるようになる。
【課題を解決するための手段】
【０００４】  本考案は、図１に示すようにらせん構造のウエイト１をシャフト２に装着して実際にボールを打てるようにしたものである。本ウエイトは、重りとなる鉛などの可塑性金属５の表面をゴム状の弾性合成樹脂６で被覆することにより、らせん構造を保持すると共にウォームアップや筋力強化に必要な適度な重さと、シャフトに沿って巻き付け、巻き解きが自在にできるよう適度な柔軟性を備えている。シャフトに巻き付いているのでウエイトが障害物とならないために実際にボールを打つことができる。従って着脱自在ならせん構造をしたウエイトを装着することにより、すべての番手のクラブで実際にボールを打ちボールの軌跡を確認しながら筋力強化が図れるので効果的な練習ができるようになり、上記の問題を解決している。
【考案の効果】
【０００５】  上述の様に、本考案のらせん構造ウエイトは、実際にボールを打つことができることは勿論、被覆材の弾性合成樹脂の滑り止め効果によりシャフトの任意の位置に装着できるので、クラブバランスを自由に設定できる。しかもシャフトに巻き付いているので止め具が不要であるにもかかわらず、ボールを打つ強い衝撃でも外れることが無く、面でシャフトと接触しているためシャフトへの衝撃も分散されので、シャフトの折損もなく安全である。また複数個の装着も可能なので筋力に合せて重さが調節できる。さらにアイアンだけでなくウッドやパターなどすべてのクラブに装着することができる。
【考案を実施するための最良の形態】
【０００６】  本ウエイトの芯は、重りとなる鉛板などの可塑性金属５をらせん形状にし、その表面をシリコンなどのゴム状の弾性合成樹脂６で被覆することにより、可塑性と弾性の適度なバランスをとることで、らせん形状の保持と柔軟性を兼ね備えることができる。重さと柔軟性は可塑性金属と弾性合成樹脂の厚みを調節することで自在に設定できる。【０００７】  本ウエイトを重くする場合は、重りとなる可塑性金属５を厚くするが、その場合５の表面に網目状の切れ込みを入れることで硬くなることを防ぎ、被覆材を厚くすることなく柔軟性を備えることができる。【０００８】  本ウエイトは、複数個装着できるので段階的に使用すると、筋肉に急激な負担をかけることなくウォームアップや筋力強化が無理なくできる。例えば筋力強化が必要なジュニアやシニアゴルファー用として１個あたり５０ｇのものとその倍の１００ｇのウエイトを２個使って、第一段階は５０ｇで軽い練習を行い、第二段階で１００ｇに付け替え、第三段階で５０ｇを追加装着して、１５０ｇの重めの負荷にすることで、無理なく段階的な練習ができる。複数個装着した例を図１０に示す。
【実施例】
【０００９】  本ウエイトの製作例を次に述べる。重りとなる厚さ１ｍｍ、幅１２ｍｍ、長さ３００ｍｍの鉛板をシャフト径に合わせてらせん状に巻き、弾性合成樹脂の溶液に漬け込んだ後、引き上げ乾燥させるとゴム状の被覆ができる。この漬け込みと乾燥を数回行い、被覆の厚さが０．４ｍｍほどになると、らせん形状を保持し且つ柔軟性のある、長さ８０ｍｍ、重さ５０ｇほどの本ウエイトができる。【００１０】  本ウエイトをシャフトへ装着する手順を図５から図９に示す。図５に示すようにウエイトの端をシャフトにあてがい、図６から図９に示すようにらせん構造の溝に合せてシャフトに沿ってウエイトを回転させることにより容易に装着できる。巻き終わったら両端を締め込むことでシャフトとの密着度が増して、シャフトの任意の位置に装着できる。取り外しは、ウエイトを逆回転させることで容易にできる。
【産業上の利用可能性】
【００１１】  本考案のらせん構造ウエイトは、重さの調節や着脱の容易さ、また練習中に外れ難く安全性が高いので、ゴルフクラブだけではなく、バトミントンやテニスのラケット、竹刀、野球のバットなど、ほとんどのスポーツ打具に利用可能である。バトミントンラケットに装着した例を図１１に示す。
【図面の簡単な説明】
【００１２】
【図１】本考案のらせん構造ウエイトの装着実施例を示す正面図である。
【図２】同ウエイトの正面図である。
【図３】同ウエイトの左側面図である。
【図４】同ウエイトの図１におけるＡ−Ａ線横断面図である。
【図５】シャフトへの装着実施手順例１を示す正面図である。
【図６】シャフトへの装着実施手順例２を示す正面図である。
【図７】シャフトへの装着実施手順例３を示す正面図である。
【図８】シャフトへの装着実施手順例４を示正面図である。
【図９】シャフトへの装着実施手順例５を示す正面図である。
【図１０】複数のウエイトを装着した例を示す正面図である。
【図１１】バトミントンラケットにウエイトを装着した例を示す正面図である。
【符号の説明】
【００１３】  １  らせん構造ウエイト本体
２  ゴルフクラブのシャフト
３  同ネック
４  同ヘッド
５  重りとなる鉛などの可塑性金属
６  被覆材となるゴム状の弾性合成樹脂
７  バトミントンラケット
【図１】
0003134402.tif 000003
【図２】
0003134402.tif 000004
【図３】
0003134402.tif 000005
【図４】
0003134402.tif 000006
【図５】
0003134402.tif 000007
【図６】
0003134402.tif 000008
【図７】
0003134402.tif 000009
【図８】
0003134402.tif 000010
【図９】
0003134402.tif 000011
【図１０】
0003134402.tif 000012
【図１１】
0003134402.tif 000013